(57)【要約】【課題】  添加したアルミニウムの処理水への流出を防止する方法、ならびにカルシウムの供給量が最適比率から外れた場合であっても良好に処理することができ、かつ汚泥発生量も少量となる効率的なホウ素処理方法とそれに用いる処理装置とを提供する。【解決手段】  ３００ｍｇ／Ｌ以下のホウ素を含有する排水に、硫酸アルミニウム及び消石灰を添加し、アルカリ性に調整する反応工程と、生成した不溶性析出物を固液分離する固液分離工程とを含むホウ素含有排水の処理方法において、前記反応工程は、アルミニウム、カルシウムの存在量１：４〜１：６の重量比に調整し、かつｐＨを９以上に調整する第一反応工程と、消石灰を添加してｐＨを１２以上に調整する第二反応工程とを有する。【選択図】  図２
2010269310.tif 000002
【特許請求の範囲】
【請求項１】
３００ｍｇ／Ｌ以下のホウ素を含有する排水に、硫酸アルミニウム及び消石灰を添加し、アルカリ性に調整する反応工程と、生成した不溶性析出物を固液分離する固液分離工程とを含むホウ素含有排水の処理方法において、
前記反応工程は、アルミニウム、カルシウムの存在量１：４〜１：６の重量比に調整し、かつｐＨを９以上に調整する第一反応工程と、消石灰を添加してｐＨを１２以上に調整する第二反応工程とを有することを特徴とするホウ素含有排水の処理方法。
【請求項２】
請求項１に記載のホウ素含有排水の処理方法において、前記反応工程の後に、高分子凝集剤を添加する凝集工程を備えていることを特徴とするホウ素含有排水の処理方法。
【請求項３】
請求項１又は２の内のいずれか一つに記載のホウ素含有排水の処理方法において、前記固液分離工程の後、前記上澄液を酸で中和する中和工程を備えていることを特徴とするホウ素含有排水の処理方法。
【請求項４】
３００ｍｇ／Ｌ以下のホウ素とともに、フッ素、炭酸、及びリン酸のいずれか１種以上を含む排水に、硫酸アルミニウム及び消石灰を添加し、アルカリ性に調整する反応工程と、生成した不溶性析出物を固液分離する固液分離工程とを含むホウ素含有排水の処理方法において、
上記反応工程は、アルミニウム、カルシウムの存在量を下記数１で示される重量比に調整し、かつｐＨを９以上に調整する第一反応工程と、消石灰を添加してｐＨを１２以上に調整する第二反応工程とを有することを特徴とするホウ素含有排水の処理方法。
【数１】
2010269310.tif 000009
【請求項５】
請求項４に記載のホウ素含有排水の処理方法において、前記反応工程の後に、高分子凝集剤を添加する凝集工程を備えていることを特徴とするホウ素含有排水の処理方法。
【請求項６】
請求項４又は５の内のいずれか一つに記載のホウ素含有排水の処理方法において、前記固液分離工程の後、前記上澄液を酸で中和する中和工程を備えていることを特徴とするホウ素含有排水の処理方法。
【請求項７】
３００ｍｇ／Ｌ以下のホウ素を含有する排水に、硫酸アルミニウム及び消石灰を添加し、アルカリ性に調整した被処理液とする反応手段と、前記被処理液から生成した不溶性析出物を固液分離する固液分離手段とを含むホウ素含有排水の処理装置において、
前記反応手段は、前記排水にアルミニウム、カルシウムの存在量１：４〜１：６の重量比に調整し、かつｐＨを９以上に調整する第一反応手段と、更に、第１の反応手段からの被処理液に更に、消石灰を添加してｐＨを１２以上に調整する第二反応手段とを有することを特徴とするホウ素含有排水の処理装置。
【請求項８】
請求項７に記載のホウ素含有排水の処理装置において、前記反応手段の下流側に、前記被処理液中の不溶性析出物を凝集させる高分子凝集剤を添加するための凝集手段を備えていることを特徴とするホウ素含有排水の処理装置。
【請求項９】
請求項７又は８に記載のホウ素含有排水の処理装置において、前記固液分離手段の下流に、不溶性析出物が沈殿して固液分離した上澄液を酸で中和する中和手段を備えていることを特徴とするホウ素含有排水の処理装置。
【請求項１０】
３００ｍｇ／Ｌ以下のホウ素とともに、フッ素、炭酸、及びリン酸のいずれか１種以上を含む排水に、硫酸アルミニウム及び消石灰を添加し、アルカリ性に調整する反応手段と、生成した不溶性析出物を固液分離する固液分離手段とを含むホウ素含有排水の処理装置において、前記反応手段は、被処理液中のアルミニウム、カルシウムの存在量を下記数２で示される重量比に調整し、かつｐＨを９以上に調整する第一反応手段と、第一反応手段からの被処理液に消石灰を添加してｐＨを１２以上に調整する第二反応手段とを有することを特徴とするホウ素含有排水の処理装置。
【数２】
2010269310.tif 000010
【請求項１１】
請求項１０に記載のホウ素含有排水の処理装置において、前記反応手段の下流側に、被処理液中に高分子凝集剤を添加して前記不溶析出物を凝集させるための凝集手段を備えていることを特徴とするホウ素含有排水の処理装置。
【請求項１２】
請求項１０又は１１に記載のホウ素含有排水の処理装置において、前記固液分離手段の下流に、前記不溶析出物が沈殿した上澄液を酸で中和する中和手段を備えていることを特徴とするホウ素含有排水の処理装置。
【発明の詳細な説明】
【技術分野】
【０００１】
本発明は、石炭火力発電所の排煙脱硫排水やごみ焼却場洗煙排水、ニッケルめっき工場排水、ガラス製造工場排水等のホウ素含有排水の処理に関し、より詳しくは、アルミニウム化合物とカルシウム化合物とを加え、アルカリ性に調整して生成する不溶性析出物を固液分離し、ホウ素を処理する方法に関する。
【背景技術】
【０００２】
従来、ホウ素含有排水の凝集沈殿処理として、硫酸アルミニウム等のアルミニウム化合物と消石灰等のカルシウム化合物を加え、ｐＨ９以上のアルカリ性で反応させ、生成する不溶性析出物を分離して処理する方法が知られている（特許文献１、参照）。
【０００３】
アルミニウム化合物を水中に溶解させ、アルカリ性に調整するとアルミン酸イオンの状態で溶解する。アルミン酸イオンはカルシウムと反応しやすく、アルミン酸カルシウムと呼ばれる白色の不溶性析出物を生成する。従ってホウ素は、アルミニウムとカルシウムがアルカリ条件下で反応し、アルミン酸カルシウムと思われる不溶性析出物を生成する際に吸着、または結晶中に取り込まれるなどして除去されるものと考えられている。
【０００４】
また、アルミニウム薬剤として硫酸アルミニウムを用いる場合に処理性が良くなることから、硫酸イオンに処理性改善の効果があること、更にアルミニウムイオン、カルシウムイオン、硫酸イオンの最適な存在比率が存在することも報告されている（例えば、特許文献２、参照）。
【０００５】
さらに、特許文献３には、ホウ素を含んだ排水の処理方法に関し、ホウ素を含んだ排水にアルミニウム塩、難溶性のカルシウム塩及び消石灰を添加してｐＨが８以上となるように調節する方法が開示されている。
【０００６】
そこで、本発明者らは、アルミニウム化合物とカルシウム化合物を用いたホウ素含有排水について詳細に検討を行った結果、以下の３点（イ）、（ロ）、及び（ハ）を知見した。
【０００７】
まず、（イ）特にホウ素濃度が数百ｍｇ／Ｌ以下の排水を処理する場合には、従来“最適比率”と報告されていたアルミニウム、カルシウム、硫酸イオンの比率（モル比１：４．５：１．５）では、処理性が不十分であり、カルシウムがより少ない条件の方が好ましいこと。
【０００８】
次に、（ロ）アルミニウム、カルシウム、硫酸イオンの最適比率は、一義的に決められるものではなく、カルシウムと難溶性物質を形成しやすい物質、例えばフッ化物イオン、炭酸イオン、リン酸イオンなどが排水中に含まれている場合には大きく変わること。
【０００９】
ただし、（ハ）最適なアルミニウム、カルシウム、硫酸イオンの比率では、添加したアルミニウムが不溶化し切れずに処理水中に残留する場合があること。すなわち固液分離後の処理液を中和する工程で、残留アルミニウムが水酸化アルミニウムとなって析出し、処理水に濁りを発生させる要因となるため、懸濁物質（ＳＳ）の排水規制を超過する可能性が発生すること。
【００１０】
また、従来の添加比率における方法では、薬剤の添加比率から外れた場合の対策についての検討が不十分である。すなわち、カルシウム薬剤として一般に用いられる消石灰は、粉体もしくは水と混合してスラリー状で供給するのが一般的であるが、液体ではないため定量的に供給することが難しい。すなわち常時最適比率で供給することが設備上困難であるから、最適比率から外れた場合の対応方法を考慮しておくことが好ましいと言える。
【先行技術文献】
【特許文献】
【００１１】
【特許文献１】特開２００１−１８７３８６号公報
【特許文献２】特開２００２−２３３８８１号公報
【特許文献３】特開２００４−２８３７３１号公報
【発明の概要】
【発明が解決しようとする課題】
【００１２】
本発明は、かかる課題を解決するためになされたものであって、その目的は、カルシウムと難溶性物質を形成しやすい物質が共存している場合も含め、特に排水中ホウ素濃度が数百ｍｇ／Ｌ以下の場合に、アルミニウム、カルシウム、硫酸イオンの最適比率を明確にするとともに、添加したアルミニウムの処理水への流出を防止する方法、ならびにカルシウムの供給量が最適比率から外れた場合であっても良好に処理することができ、かつ汚泥発生量も少量となる効率的なホウ素処理方法とそれに用いる処理装置とを提供することにある。
【課題を解決するための手段】
【００１３】
本発明者らが、硫酸アルミニウムとカルシウム化合物によるホウ素含有排水の処理について詳細に検討した結果、以下の六点を新たに知見した。
【００１４】
第一の新しい知見は、ホウ素処理に寄与する不溶性析出物についてである。すなわち、硫酸アルミニウムとカルシウム化合物によるホウ素処理は、従来考えられていたアルミン酸カルシウム等の物質よりも、「カルシウムアルミネートトリサルフェート」が主に処理に寄与していることを知見した。このカルシウムアルミネートトリサルフェートは、３ＣａＯ・Ａｌ２Ｏ３・３ＣａＳＯ４・３２Ｈ２Ｏの組成を有し、示性式［Ｃａ６｛Ａｌ（ＯＨ）６｝２２４Ｈ２Ｏ］（ＳＯ４）３２Ｈ２Ｏで表される物質である。
【００１５】
ホウ素の処理機構について、過去に報告された例はないが、発明者らの研究によるとカルシウムアルミネートトリサルフェートのホウ素含有率が高いほど、その結晶格子定数が低下する傾向が認められることから、結晶格子中のＳＯ４２−の一部がＢ（ＯＨ）４−と置換する反応により処理されている可能性が高いと考えられる。その他に考えられる機構としては、結晶表面へのホウ素の吸着反応がある。カルシウムアルミネートトリサルフェートの構造式に従えば、アルミニウム、カルシウム、硫酸イオンの比率は、モル比では「２：６：３」であり、重量比に換算すると「１：４．４：５．３」となる。
【００１６】
第二の新しい知見は、実際に添加すべきアルミニウム、カルシウム、硫酸イオンの最適比率についてである。まず、アルミニウム化合物として硫酸アルミニウムＡｌ２（ＳＯ４）３を用いた場合、アルミニウムの供給と同時に、カルシウムアルミネートトリサルフェートの組成比率と同じ割合で硫酸イオンが自動的に供給されるために、カルシウムとの比率のみを考慮すれば良いことになる。添加すべきカルシウム量は、カルシウムアルミネートトリサルフェート中のアルミニウムとカルシウムとの比率（重量比で「１：４．４」）に対し、最適比率はややカルシウムが多い方向へシフトし、「１：４〜１：６」の範囲が適し、より好ましくは「１：５」前後が最適であることを知見した。カルシウムがやや多い方向へシフトする理由は、カルシウム化合物が難溶性のものが多く完全に溶解しないことが理由と考えられる。
【００１７】
第三の新しい知見は、難溶性のカルシウム化合物の生成速度についてである。すなわち、カルシウムアルミネートトリサルフェートの生成反応よりも、フッ化カルシウム（ＣａＦ２）、炭酸カルシウム（ＣａＣＯ３）、リン酸ハイドロキシアパタイト（Ｃａ５（ＰＯ４）３ＯＨ）の生成反応の方が速く進行すること、また排水中にこれらの物質が含まれている場合には、カルシウムがこれらの物質と反応し、その後未反応の余剰カルシウムがカルシウムアルミネートトリサルフェートの生成に寄与するために、最適比率を維持するためにはカルシウムの消費分を上乗せする必要があることを知見した。
【００１８】
従って、フッ素が含まれている場合は、Ｃａ２＋＋２Ｆ−→ＣａＦ２の反応式より、重量比でフッ素の１．０５倍のカルシウムイオンを上乗せする必要がある。また、炭酸イオンが含まれている場合は、Ｃａ２＋＋ＣＯ３２−→ＣａＣＯ３の反応式より、重量比で炭酸イオンの０．６７倍のカルシウムイオンを上乗せする必要がある。更に、リン酸イオンが含まれている場合は、５Ｃａ２＋＋３ＰＯ４３−＋ＯＨ−→Ｃａ５（ＰＯ４）３ＯＨの反応式より、重量比でリン酸態リンの２．１５倍のカルシウムイオンを上乗せする必要があることになる。
【００１９】
第四の新しい知見は、アルミニウムの不溶化が不十分となる現象についてである。すなわち、アルミニウムとカルシウムの最適比率「１：４〜１：６」とした場合には、アルミニウムはいったんほぼ完全に不溶化するが、その後時間とともにゆっくりアルミニウムが溶解することを知見した。
【００２０】
このアルミニウムの再溶解現象の理由は、不溶性析出物がアルカリ分（ＯＨ−）とゆっくり反応する性質があり、それに伴ってｐＨが低下し、カルシウムアルミネートトリサルフェートの生成ｐＨ領域から逸脱する方向になるからと考えられる。
【００２１】
この再溶解現象は、固液分離工程として沈殿分離法を採用する場合で、かつ粒子の沈殿速度が遅いなどの理由で、滞留時間を数時間以上にする必要がある場合に特に問題となる。すなわち、沈殿分離後の上澄水はアルカリ性であるから、最終的に酸で中和する必要があるが、アルミニウムは中性では水酸化アルミニウムとなって析出する性質があるため、処理水が白濁してしまうという問題がある。
【００２２】
第五の新しい知見は、ホウ素の良好な処理性と、アルミニウムの不溶化の両方を実現する方法についてである。すなわち、アルミニウムとカルシウムとの最適比率「１：４〜１：６」で反応させた後に、カルシウム化合物を再度添加する工程を追加すれば、カルシウムの合計添加量は最適比率を上回るにも関わらず、ホウ素の良好な処理性は維持されること、また沈殿分離時間を長時間とした場合であっても、アルミニウムの残留を確実に防止できることを知見した。
【００２３】
第六の新しい知見は、カルシウムの添加量が最適比率より多い場合であっても、ホウ素を良好に処理できる方法についてである。すなわち、この場合はアルミニウム、カルシウム、硫酸イオンの不溶化反応速度が最適比率の場合と比べて非常に緩慢にはなるが、時間をかければ十分に進行し、それに伴いホウ素を良好に処理できることを知見した。またこの場合に必要となる反応時間は、最低で２時間、好ましくは４時間以上、更に好ましくは１２〜２４時間程度であることを知見した。
【００２４】
即ち、本発明によれば、３００ｍｇ／Ｌ以下のホウ素を含有する排水に、硫酸アルミニウム及び消石灰を添加し、アルカリ性に調整する反応工程と、生成した不溶性析出物を固液分離する固液分離工程とを含むホウ素含有排水の処理方法において、上記反応工程におけるアルミニウム、カルシウムの存在量を１：４〜１：６の重量比に調整し、かつｐＨを９以上に調整することを特徴とするホウ素含有排水の処理方法が得られる。
【００２５】
また、本発明によれば、前記ホウ素含有排水の処理方法において、前記反応工程は、アルミニウム、カルシウムの存在量１：４〜１：６の重量比に調整し、かつｐＨを９以上に調整する第一反応工程と、消石灰を添加してｐＨを１２以上に調整する第二反応工程とを有することを特徴とするホウ素含有排水の処理方法が得られる。
【００２６】
また、本発明によれば、前記いずれか一つのホウ素含有排水の処理方法において、前記反応工程の後に、高分子凝集剤を添加する凝集工程を備えていることを特徴とするホウ素含有排水の処理方法が得られる。
【００２７】
また、本発明によれば、前記いずれか一つのホウ素含有排水の処理方法において、前記固液分離工程の後、前記上澄液を酸で中和する中和工程を備えていることを特徴とするホウ素含有排水の処理方法が得られる。
【００２８】
また、本発明によれば、３００ｍｇ／Ｌ以下のホウ素とともに、フッ素、炭酸、及びリン酸のいずれか１種以上を含む排水に、硫酸アルミニウム及び消石灰を添加し、アルカリ性に調整する反応工程と、生成した不溶性析出物を固液分離する固液分離工程とを含むホウ素含有排水の処理方法において、前記反応工程は、アルミニウム、カルシウムの存在量を下記数１で示される重量比に調整し、かつｐＨを９以上に調整する第一反応工程と、消石灰を添加してｐＨを１２以上に調整する第二反応工程とを有することを特徴とするホウ素含有排水の処理方法が得られる。
【００２９】
【数１】
2010269310.tif 000003
【００３０】
また、本発明によれば、前記いずれか一つのホウ素含有排水の処理方法において、前記反応工程の後に、高分子凝集剤を添加する凝集工程を備えていることを特徴とするホウ素含有排水の処理方法が得られる。
【００３１】
また、本発明によれば、前記いずれか一つのホウ素含有排水の処理方法において、前記固液分離工程の後、前記上澄液を酸で中和する中和工程を備えていることを特徴とするホウ素含有排水の処理方法が得られる。
【００３２】
また、本発明によれば、３００ｍｇ／Ｌ以下のホウ素を含有する排水に、硫酸アルミニウム及び消石灰を添加し、アルカリ性に調整した被処理液とする反応手段と、前記被処理液から生成した不溶性析出物を固液分離する固液分離手段とを含むホウ素含有排水の処理装置において、前記反応手段は、前記排水にアルミニウム、カルシウムの存在量１：４〜１：６の重量比に調整し、かつｐＨを９以上に調整する第一反応手段と、更に、第１の反応手段からの被処理液に更に、消石灰を添加してｐＨを１２以上に調整する第二反応手段とを有することを特徴とするホウ素含有排水の処理装置が得られる。
【００３３】
また、本発明によれば、前記いずれか一つのホウ素含有排水の処理装置において、前記反応手段の下流側に、前記被処理液中の不溶性析出物を凝集させる高分子凝集剤を添加するための凝集手段を備えていることを特徴とするホウ素含有排水の処理装置が得られる。
【００３４】
また、本発明によれば、前記いずれか一つのホウ素含有排水の処理装置において、前記固液分離手段の下流に、不溶性析出物が沈殿して固液分離した上澄液を酸で中和する中和手段を備えていることを特徴とするホウ素含有排水の処理装置が得られる。
【００３５】
また、本発明によれば、３００ｍｇ／Ｌ以下のホウ素とともに、フッ素、炭酸、及びリン酸のいずれか１種以上を含む排水に、硫酸アルミニウム及び消石灰を添加し、アルカリ性に調整する反応手段と、生成した不溶性析出物を固液分離する固液分離手段とを含むホウ素含有排水の処理装置において、前記反応手段は、被処理液中のアルミニウム、カルシウムの存在量を下記数２で示される重量比に調整し、かつｐＨを９以上に調整する第一反応手段と、第一反応手段からの被処理液に消石灰を添加してｐＨを１２以上に調整する第二反応手段とを有することを特徴とするホウ素含有排水の処理装置が得られる。
【００３６】
【数２】
2010269310.tif 000004
【００３７】
また、本発明によれば、前記いずれか一つのホウ素含有排水の処理装置において、前記反応手段の下流側に、被処理液中に高分子凝集剤を添加して前記不溶析出物を凝集させるための凝集手段を備えていることを特徴とするホウ素含有排水の処理装置が得られる。
【００３８】
また、本発明によれば、前記いずれか一つのホウ素含有排水の処理装置において、前記固液分離手段の下流に、前記不溶析出物が沈殿した上澄液を酸で中和する中和手段を備えていることを特徴とするホウ素含有排水の処理装置が得られる。
【発明の効果】
【００３９】
本発明によれば、カルシウムと難溶性物質を形成しやすい共存物質が存在する場合も含め、特に排水中ホウ素濃度が数百ｍｇ／Ｌ以下の場合に、アルミニウム、カルシウム、硫酸イオンの最適な量が明確となり、より少ない薬剤で、汚泥発生量も少量となるホウ素含有排水の処理方法及び処理装置を提供することができる。
【００４０】
また、本発明によれば、添加したアルミニウムが処理水へ流出することを防止し、処理水に濁りを防止できるホウ素含有排水の処理方法及び処理装置を提供することができる。
【００４１】
更に、本発明によれば、カルシウムの供給量が最適比率から外れた場合であっても、ホウ素を良好に処理することができるホウ素含有排水の処理方法及び処理装置を提供することができる。
【図面の簡単な説明】
【００４２】
【図１】本発明の第１の実施の形態を示す工程説明およびその実施に用いられる設備の概略構成を示す図である。
【図２】本発明の第２の実施の形態を示す工程説明およびその実施に用いられる設備の概略構成を示す図である。
【図３】本発明の第３の実施の形態を示す工程説明およびその実施に用いられる設備の概略構成を示す図である。
【図４】本発明の第４の実施の形態を示す工程説明およびその実施に用いられる設備の概略構成を示す図である。
【図５】本発明の第５の実施の形態を示す工程説明およびその実施に用いられる設備の概略構成を示す図である。
【図６】本発明の実施例１による処理水分析結果を示した図である。
【図７】本発明の実施例３による処理水分析結果を示した図である。
【図８】本発明の実施例５による処理水分析結果を示した図である。
【図９】本発明の実施例６による処理水分析結果を示した図である。
【発明を実施するための形態】
【００４３】
以下、本発明の実施の形態を、図面を用いて更に詳細に説明する。
【００４４】
図１は本発明の第１の実施の形態を示した工程説明およびその実施に用いられる設備の概略構成を示す図である。図１を参照すると、ホウ素含有排水の処理装置は、反応槽１０と、凝集槽２０と、沈殿槽３０と、中和槽４０とを備えている。これらの各槽に各物質が投入され、また、取り出しを含む排出がなされる。
【００４５】
反応槽１０には、ホウ素含有排水１が導入され、ｐＨ調整剤２，消石灰３，硫酸アルミニウム４が投入され、不溶析出物を生成する（反応手段）。ここで、アルミニウムとカルシウムとの比率１：４〜１：６の範囲で投入され、ホウ素含有排水１との反応生成物は、「カルシウムアルミネートトリサルフェート」を主成分としている。このカルシウムアルミネートトリサルフェートは、３ＣａＯ・Ａｌ２Ｏ３・３ＣａＳＯ４・３２Ｈ２Ｏの組成を有し、示性式［Ｃａ６｛Ａｌ（ＯＨ）６｝２２４Ｈ２Ｏ］（ＳＯ４）３２Ｈ２Ｏで表され、水に不溶な析出物である。この構造式に従えば、アルミニウム、カルシウム、硫酸イオンの比率は、モル比では「２：６：３」であり、重量比に換算すると「１：４．４：５．３」である。
【００４６】
凝集槽２０には、反応槽１０からの反応後のホウ素含有排水１が導入され、高分子凝集剤５が導入され、不溶析出物が凝集した状態となる（凝集手段）。
【００４７】
沈殿槽３０は、高分子凝集剤５が投入された凝集槽２０からのホウ素含有排水１が導入され、上澄水６と沈殿した不溶析出物であるカルシウムアルミネートトリサルフェートを主成分とした汚泥７とに分離される（固液分離手段）。
【００４８】
次に、具体的に本発明のホウ素含有排水の処理装置の処理工程について説明する。
【００４９】
図１を参照すると、ホウ素含有排水１は、まず反応槽１０を備えた反応工程１３に導入される。反応工程では、硫酸アルミニウム４と消石灰３を、重量比でＡｌ：Ｃａ＝１：４〜１：６となるよう添加し、ｐＨ９以上に調整する。
【００５０】
反応工程１３では白色の不溶性析出物が生成し、その析出物中にホウ素が吸着、又は結晶中に取り込まれる反応が起こる。
【００５１】
次に固液分離工程１４において、生成した不溶性析出物を沈殿分離し、汚泥７として回収し、清澄な上澄水６が得られる。
【００５２】
図１の例では、不溶性析出物を沈殿分離しやすいよう、反応工程１３の後段に凝集槽２０に高分子凝集剤５を加えて撹拌混合し、不溶性析出物を凝集させる凝集工程１７も追加している。高分子凝集剤５の添加により粒子の沈降速度が増大するため、より短い滞留時間で固液分離を行うことが出来る。
【００５３】
固液分離工程１４の上澄水６はアルカリ性であることから、中和槽４０において酸８を加えて中性付近に調整し（中和工程１８）、最終的な処理水が得られる。
【００５４】
図２は本発明の第２の実施の形態を示す工程説明およびその実施に用いられる設備の概略構成を示す図である。図２に示すように、第１の実施の形態における反応槽１０を第１及び第２の反応槽１１，１２に分けて、反応工程１３を第１及び第２の反応工程１５，１６に分けた他は、第１の実施の形態と同様である。
【００５５】
つまり、第２の実施の形態においては、ホウ素の良好な処理性と、アルミニウムの不溶化の両方を実現するために、アルミニウムとカルシウムとの最適比率「１：４〜１：６」で反応させた後に、カルシウム化合物を再度添加する工程を追加している。これにより、カルシウムの合計添加量は最適比率を上回るにも関わらず、ホウ素の良好な処理性は維持されること、また沈殿分離時間を長時間とした場合であっても、アルミニウムの残留を確実に防止できる。
【００５６】
本発明の第２の実施の形態によるホウ素含有排水処理装置の処理工程について説明する。第２の実施の形態では、反応槽を用いた反応手段を第一反応槽を用いた第一反応手段と、第二反応槽を用いた第二反応手段との２段階の処理を行うものである。
【００５７】
図２を参照すると、ホウ素含有排水１は、まず第一反応工程１５に導入される。第一反応工程では、硫酸アルミニウム４と消石灰３を、重量比でＡｌ：Ｃａ＝１：４〜１：６となるよう第一反応槽１１に導入された排水１に添加し、さらに、ｐＨ９以上に調整する。
【００５８】
第一反応工程１５では白色の不溶性析出物が生成し、その析出物中にホウ素が吸着、又は結晶中に取り込まれる反応が起こる。
【００５９】
次に第二反応工程１６では、第二反応槽１２中に蓄えられた第一反応槽１１からの被処理液に消石灰３を添加してｐＨ１２以上に調整することで、カルシウムによるアルミニウムの不溶化を確実に行うことができる（第二反応手段）。
【００６０】
次に、固液分離工程１４において、生成した不溶性析出物を沈殿槽３０にて汚泥７として沈殿分離し、清澄な上澄水６が得られる（固液分離手段）。図２の例では図１の例と同様、沈殿分離効率を向上させるために、反応工程１６の後段に、凝集槽２０に高分子凝集剤を加えて撹拌混合する凝集工程（凝集手段）１７を追加している。
【００６１】
また固液分離工程１４の上澄水６は、図１の例と同様に中和槽４０を用いた中和手段にて酸８で中和し（中和工程）４０、最終的な処理水が得られる。
【００６２】
図３は本発明の第３の実施の形態を示した工程説明およびその実施に用いられる設備の概略構成を示す図である。図３に示す処理装置と、図１に示す処理装置との相違点は、図３に示す処理装置がホウ素含有排水１として、その中にフッ素、炭酸、リン酸を含有する点である。
【００６３】
図３に示すように、ホウ素含有排水１は、まず反応工程１３に導入される。
【００６４】
ここで、ホウ素含有排水１は、ホウ素とともに、フッ素、炭酸、リン酸のいずれか１種以上を含んでいる。反応槽１３には、硫酸アルミニウム４及び消石灰３が投入される。
【００６５】
ホウ素含有排水１にフッ素、炭酸、リン酸を含む場合、難溶性のカルシウム化合物であるカルシウムアルミネートトリサルフェートの生成反応よりも、フッ化カルシウム（ＣａＦ２）、炭酸カルシウム（ＣａＣＯ３）、リン酸ハイドロキシアパタイト（Ｃａ５（ＰＯ４）３ＯＨ）の生成反応の方が速く進行するため、排水中にこれらの物質が含まれている場合には、カルシウムがこれらの物質と反応し、その後未反応の余剰カルシウムがカルシウムアルミネートトリサルフェートの生成に寄与する（反応手段）。そのために、アルミニウムとカルシウムの最適比率を維持するためには、カルシウムの消費分を上乗せする必要がある。
【００６６】
まず、フッ素が含まれている場合は、Ｃａ２＋＋２Ｆ−→ＣａＦ２の反応式より、重量比でフッ素の１．０５倍のカルシウムイオンを上乗せする必要がある。また、炭酸イオンが含まれている場合は、Ｃａ２＋＋ＣＯ３２−→ＣａＣＯ３の反応式より、重量比で炭酸イオンの０．６７倍のカルシウムイオンを上乗せする必要がある。更に、リン酸イオンが含まれている場合は、５Ｃａ２＋＋３ＰＯ４３−＋ＯＨ−→Ｃａ５（ＰＯ４）３ＯＨの反応式より、重量比でリン酸態リンの２．１５倍のカルシウムイオンを上乗せする必要があることになる。
【００６７】
したがって、反応工程１３では、硫酸アルミニウムと消石灰を供給し、かつアルミニウム、カルシウムの存在量が、１：４＋{（Ｆ×１．０５）＋（ＣＯ３×０．６７）＋（Ｐ×２．１５）}／Ａｌ〜１：６＋{（Ｆ×１．０５）＋（ＣＯ３×０．６７）＋（Ｐ×２．１５）}／Ａｌ、ただし、Ｆ：排水中のフッ素濃度（ｍｇ／Ｌ（リットル））、ＣＯ３：排水中の炭酸濃度（ｍｇ／Ｌ）、Ｐ：排水中のリン酸態リン濃度（ｍｇ／Ｌ）、Ａｌ：反応工程におけるアルミニウム濃度（ｍｇ／Ｌ）、の重量比となるよう調整し、またｐＨを９以上に調整する。
【００６８】
次に固液分離工程１４において、生成した不溶性析出物を汚泥７として沈殿分離し、清澄な上澄水６が得られる（固液分離手段）。
【００６９】
図３の例では図１の例と同様、沈殿分離効率を向上させるために、反応工程１３の後段に高分子凝集剤５を加えて撹拌混合する凝集工程１６（凝集手段））を追加している。また固液分離工程１４の上澄水は、図１の例と同様に中和槽４０にて酸８で中和し（中和手段）、最終的な処理水９が得られる。
【００７０】
図４は本発明の第４の実施の形態を示す工程説明およびその実施に用いられる設備の概略構成を示す図である。図４に示すように、図３の例との相違は、反応槽を用いた反応手段を第一反応槽を用いた第一反応手段と、第二反応槽を用いた第二反応手段との２段階の処理を行うものである。
【００７１】
まず、ホウ素とともに、フッ素、炭酸、リン酸のいずれか１種以上を含むホウ素含有排水１は、第一反応工程１５として、まずｐＨ９以上の第１反応槽１１に導入される。第一反応工程１５では硫酸アルミニウム４と消石灰を供給し、かつアルミニウム、カルシウムの存在量が、１：４＋｛（Ｆ×１．０５）＋（ＣＯ３×０．６７）＋（Ｐ×２．１５）｝／Ａｌ〜１：６＋｛（Ｆ×１．０５）＋（ＣＯ３×０．６７）＋（Ｐ×２．１５）｝／Ａｌ、ただし、Ｆ：排水中のフッ素濃度（ｍｇ／Ｌ）、ＣＯ３：排水中の炭酸濃度（ｍｇ／Ｌ）、Ｐ：排水中のリン酸態リン濃度（ｍｇ／Ｌ）、Ａｌ：反応工程におけるアルミニウム濃度（ｍｇ／Ｌ）、の重量比となるよう調整し、またｐＨを９以上に調整する。第一反応工程１５では白色の不溶性析出物が生成し、その析出物中にホウ素が吸着、又は結晶中に取り込まれる反応が起こる（第一反応手段）。
【００７２】
次に、第二反応槽１２における第二反応工程１２では、消石灰３を添加してｐＨ１２以上に調整することで、カルシウムによるアルミニウムの不溶化を確実に行うことができる（第二反応手段）。
【００７３】
次に、沈殿槽３０における固液分離工程１４において、生成した不溶性析出物を沈殿分離し、汚泥７として回収され、清澄な上澄水６が得られる（固液分離手段）。図４の例では図１の例と同様、沈殿分離効率を向上させるために、反応工程１６の後段に高分子凝集剤を加えて撹拌混合する凝集工程１７（凝集手段）を追加している。また固液分離工程１４の上澄水６は、中和槽４０に送られ、図１の例と同様に酸８で中和し（中和工程１８）、最終的な処理水９が得られる。
【００７４】
図５は本発明の第５の実施の形態を示す工程説明およびその実施に用いられる設備の概略構成を示す図である。図５に示すように、ホウ素含有排水１は、まず、反応槽１０における反応工程１３に導入される。反応工程１３では、硫酸アルミニウム４と消石灰３を、重量比でＡｌ：Ｃａ＝１：６〜１：１２となるよう添加し、ｐＨ９以上に調整する。
【００７５】
この反応工程１３での必要反応時間は、最低で２時間、好ましくは４時間以上、更に好ましくは１２〜２４時間程度である。カルシウムの添加量が最適比率より多い場合は、アルミニウム、カルシウム、硫酸イオンの不溶化反応速度が最適比率の場合と比べて非常に緩慢にはなるが、時間をかければ十分に進行し、それに伴いホウ素を良好に処理でき、このときに必要となる反応時間は、最低で２時間、好ましくは４時間以上、更に好ましくは１２〜２４時間程度であるからである。
【００７６】
次に、沈殿槽３０における固液分離工程１４にて、生成した不溶性析出物を沈殿分離し、汚泥７として回収し、清澄な上澄水６が得られる。図５の例では図１の例と同様、沈殿分離効率を向上させるために、反応工程１３の後段に高分子凝集剤５を加えて撹拌混合する凝集工程を追加している。また固液分離工程１４の上澄水６は、図１の例と同様に、中和槽４０に送られ、酸８で中和し（中和工程１８）、最終的な処理水９が得られる。
【実施例】
【００７７】
以下、実施例及び比較例を示してさらに本発明を詳細に説明する。
【００７８】
実施例及び比較例で用いた薬剤は、硫酸アルミニウムとして工業用硫酸バンド溶液（Ａｌ２Ｏ３換算８重量％）、カルシウム化合物としては消石灰（水酸化カルシウムＣａ（ＯＨ）２）粉末（試薬特級）を用い、純水を加えて１０重量％に調整し、石灰乳の状態としてから使用するか、又は粉体のまま使用した。また、ｐＨ調整剤としては、工業用２５％苛性ソーダ（ＮａＯＨ）及び３５％塩酸を１０重量％に調整したものを用いた。また、高分子凝集剤として日本ヘルス工業（株）社製高分子凝集剤（品番Ｎ−２１７）の粉末を０．１重量％に溶解させたものを用いた。
【００７９】
（実施例１）
図１のフローに準じたビーカースケール実験を行った。原水としては、ホウ酸を純水に溶解させ、ホウ素濃度１００ｍｇ／Ｌに調整した模擬排水２００ｍＬを用いた。
【００８０】
模擬排水に、硫酸アルミニウムをＡｌとして５００ｍｇ／Ｌとなるよう加えた後、消石灰をＣａとして１，０００〜５，０００ｍｇ／Ｌの範囲で加え、１時間撹拌した。なお、消石灰添加によりｐＨは上昇するが、添加量が少ない条件ではｐＨが上昇しなかったため、ｐＨ１１．５に達しなかったものは苛性ソーダを加えてｐＨ１１．５〜１２．０としてから１時間撹拌した。その後、高分子凝集剤を５ｍｇ／Ｌとなるよう加えて不溶性析出物を凝集させ、撹拌を停止して３０分間静置し、沈殿物と清澄な上澄水とに分離した後、上澄水を塩酸で中和して処理水を得た。処理水のホウ素、アルミニウム、カルシウム、硫酸イオン濃度を測定したところ、図６の結果を得た。
【００８１】
図６より、カルシウムの添加量が、アルミニウム添加量の５倍の時に処理水ホウ素濃度が極小値となっており、アルミニウムとカルシウムの最適比率が重量比で１：５（モル比では１：３．３７５）であることが分かる。
【００８２】
また図６には、アルミニウム、カルシウム、硫酸イオンの添加量も合わせて記載してあるが、添加量と処理水濃度の差を求めることにより、それらの成分の不溶性析出物への転換量を計算することができる。ホウ素の処理性が最も良かったＣａ２，５００ｍｇ／Ｌの条件における各成分の不溶性析出物への転換量は以下の通りとなる。
【００８３】
まず、アルミニウムは、５００ｍｇ／Ｌ−１．２ｍｇ／Ｌ＝４９８．８ｍｇ／Ｌ＝１８．５ｍｍｏｌ／Ｌである。
【００８４】
また、カルシウムは、２，５００ｍｇ／Ｌ−２０６ｍｇ／Ｌ＝２，２９４ｍｇ／Ｌ＝５７．４ｍｍｏｌ／Ｌである。
【００８５】
さらに、硫酸イオンは、２，６６７ｍｇ／Ｌ−７４ｍｇ／Ｌ＝２，５９３ｍｇ／Ｌ＝２７．０ｍｍｏｌ／Ｌである。
【００８６】
従って、モル比に直せば、Ａｌ：Ｃａ：ＳＯ４＝２．０：６．２：２．９となり、これはカルシウムアルミネートトリサルフェート３ＣａＯ・Ａｌ２Ｏ３・３ＣａＳＯ４・３２Ｈ２Ｏの構成比率（２：６：３）とほぼ一致している。
【００８７】
（比較例１）
実施例１のうちカルシウムを２，５００ｍｇ／Ｌとした実験において、高分子凝集剤添加後の固液分離工程における静置時間を３時間に変更した以外は実施例１と同様の実験を行った。静置３０分の実施例１と比較した結果を下記表１、２に示す。
【００８８】
下記表１、２より、静置時間を３時間とした場合にはｐＨが低下し、アルミニウムが３２ｍｇ／Ｌ検出された。従っていったん沈殿したアルミニウムが長時間の静置によりゆっくり再溶解していると認められる。
【００８９】
（実施例２）
図２のフローに準じたビーカースケール実験を行った。すなわち実施例１の実験のうち、消石灰の最適添加量Ｃａ２，５００ｍｇ／Ｌの実験において、消石灰を加えて１時間撹拌した後、更に消石灰を加えて３０分撹拌してから高分子凝集剤を添加した。２段目の消石灰添加量はカルシウムとして１，０００ｍｇ／Ｌとし、沈殿分離の静置時間は３時間とした。２段目の反応ｐＨは消石灰を追加したことにより１２．４まで上昇した。処理水分析結果を下記表１、２に示す。
【００９０】
下記表１、２に示す通り、消石灰の添加を２分割し、１段目で最適比率を添加すれば、カルシウムの合計添加量（３，５００ｍｇ／Ｌ）が最適比率を上回っていても、ホウ素の良好な処理性は維持され、かつ処理水へのアルミニウムの流出も確実に防止できると認められる。
【００９１】
【表１】
2010269310.tif 000005
【００９２】
【表２】
2010269310.tif 000006
【００９３】
（実施例３）
フッ素、炭酸、リン酸が共存する場合のホウ素含有排水について、図３のフローに準じたビーカースケール実験を行った。原水としては、ホウ酸、フッ化ナトリウム、炭酸水素ナトリウム、リン酸二水素カリウムの試薬を純水に溶解させ、ホウ素濃度１００ｍｇ／Ｌ、フッ素、炭酸イオン、リン酸態リン濃度をそれぞれ１５０ｍｇ／Ｌに調整した模擬排水２００ｍＬを用いた。
【００９４】
模擬排水に、硫酸アルミニウムをＡｌとして５００ｍｇ／Ｌとなるよう加えた後、消石灰をＣａとして１，０００〜５，０００ｍｇ／Ｌの範囲で加え、１時間撹拌した。なお、消石灰添加によりｐＨは上昇するが、ｐＨが１１．５に達しなかったものは苛性ソーダを加えてｐＨ１１．５〜１２．０としてから１時間撹拌した。その後、高分子凝集剤を５ｍｇ／Ｌとなるよう加えて不溶性析出物を凝集させ、撹拌を停止して３０分間静置し、沈殿物と清澄な上澄水とに分離した後、上澄水を塩酸で中和して処理水を得た。処理水のホウ素、アルミニウム、カルシウム、硫酸イオン濃度を測定したところ、図７の結果を得た。
【００９５】
図７に示す通り、本排水においてはカルシウムが３，１００ｍｇ／Ｌの時に処理水ホウ素濃度が極小値となっているが、これはホウ酸だけを含む排水の場合に比べ、カルシウムが約６００ｍｇ／Ｌ多く必要であることが分かる。
【００９６】
ところで、フッ素、炭酸イオン、リン酸態リンそれぞれ１５０ｍｇ／Ｌが全てカルシウムと反応するとした場合、消費されるカルシウムは、（１５０×１．０５）＋（１５０×０．６７）＋（１５０×２．１５）＝５８０．５ｍｇ／Ｌと計算され、６００ｍｇ／Ｌとおおよそ合致している。
【００９７】
従って、フッ素、炭酸イオン、リン酸が共存した排水では、それらが全てカルシウムと反応するとし、反応しなかった余剰分がホウ素排水処理に寄与するものとして考えれば、最適なアルミニウムとカルシウムの比率を維持できることになる。
【００９８】
（比較例２）
実施例３のうちカルシウムを３，１００ｍｇ／Ｌとした実験において、高分子凝集剤添加後の固液分離工程における静置時間を３時間に変更した以外は実施例３と同様の実験を行った。静置３０分の実施例３と比較したものを下記表３、４に示す。
【００９９】
下記表３、４より、静置時間を３時間とした場合にはｐＨが低下し、アルミニウムが４２ｍｇ／Ｌ検出された。従って、ホウ素に加えてフッ素、炭酸、リン酸が共存する場合においても、いったん沈殿したアルミニウムが長時間の静置によりゆっくり再溶解していると認められる。
【０１００】
（実施例４）
フッ素、炭酸、リン酸が共存する場合のホウ素含有排水について、図４のフローに準じたビーカースケール実験を行った。すなわち実施例３の実験のうち、消石灰の最適添加量Ｃａ３，１００ｍｇ／Ｌの実験において、消石灰を加えて１時間撹拌した後、更に消石灰を加えて３０分撹拌してから高分子凝集剤を添加した。２段目の消石灰添加量はカルシウムとして１，０００ｍｇ／Ｌとし、沈殿分離の静置時間は３時間とした。２段目の反応ｐＨは消石灰を追加したことにより１２．４まで上昇した。処理水分析結果を下記表３、４に示す。
【０１０１】
下記表３、４に示す通り、消石灰の添加を２分割し、１段目で最適比率を添加すれば、カルシウムの合計添加量（４，１００ｍｇ／Ｌ）が最適比率を上回っていても、またフッ素、炭酸、リン酸が共存している場合であっても、ホウ素の良好な処理性は維持され、かつアルミニウムの残留も確実に防止できると認められる。
【０１０２】
【表３】
2010269310.tif 000007
【０１０３】
【表４】
2010269310.tif 000008
【０１０４】
（実施例５）
図５のフローによるホウ素処理性を評価するため、反応時間を変えたビーカースケール実験を行った。原水としては、ホウ酸を純水に溶解させ、ホウ素濃度１００ｍｇ／Ｌに調整した模擬排水２００ｍＬを用いた。
【０１０５】
模擬排水に、硫酸アルミニウムをＡｌとして５００ｍｇ／Ｌとなるよう加えた後、消石灰をＣａとして３，４００ｍｇ／Ｌ添加した。これはＡｌ：Ｃａ＝１：６．８であり、最適比率に比べてカルシウムを敢えて多めに設定してある。その後、３０分〜２２時間の範囲で撹拌してから高分子凝集剤を５ｍｇ／Ｌとなるよう加えて不溶性析出物を凝集させ、撹拌を停止して３０分間静置し、沈殿物と清澄な上澄水とに分離した後、上澄水を塩酸で中和して処理水を得た。反応時間と処理水ホウ素、カルシウム、硫酸イオン濃度との関係は図８の通りであった。
【０１０６】
図８より、カルシウムが最適添加量よりも多い場合は、処理水カルシウム濃度、硫酸イオン濃度とともに、ゆっくりホウ素濃度も減少している。すなわち、カルシウムを最適量以上に添加した場合は、ホウ素を処理できない訳ではなく、ホウ素処理に寄与する不溶性析出物の生成速度が非常に遅いために、ホウ素の処理速度も遅くなっていると認められる。
【０１０７】
（実施例６）
図５のフローによるホウ素処理性を評価するため、反応時間を２０時間で固定し、カルシウムの添加量をＡｌ：Ｃａ＝１：５〜１：１２の範囲で変化させたビーカースケール実験を行った。原水としては、ホウ酸を純水に溶解させ、ホウ素濃度１００ｍｇ／Ｌに調整した模擬排水２００ｍＬを用いた。
【０１０８】
模擬排水に、硫酸アルミニウムをＡｌとして５００ｍｇ／Ｌとなるよう加えた後、カルシウムを２，５００ｍｇ／Ｌ〜６，０００ｍｇ／Ｌ（Ａｌ：Ｃａ＝１：５〜１：１２）添加し、２０時間撹拌した。本実験では、カルシウムとして「消石灰（粉体）」「消石灰乳」の２種類を用いた。その後高分子凝集剤を５ｍｇ／Ｌとなるよう加えて不溶性析出物を凝集させ、撹拌を停止して３０分間静置し、沈殿物と清澄な上澄水とに分離した後、上澄水を塩酸で中和して処理水を得た。処理水ホウ素濃度は図９の通りであった。
【０１０９】
（比較例３）
実施例６の比較実験を行った。すなわち実施例６において、反応時間を１時間で固定した以外は実施例６と同じ実験を行った。処理水ホウ素濃度は、図９の通りであった。
【０１１０】
図９より、いずれのカルシウム薬剤においても、Ａｌ：Ｃａ＝１：５では反応１時間で良好に処理できるが、カルシウム添加量をそれ以上とすれば処理性が悪化することが分かる。しかし反応時間を長くすることで、カルシウム添加量に関わらず良好に処理できると認められる。
【産業上の利用可能性】
【０１１１】
本発明に係るホウ素含有排水の処理方法と処理装置は、石炭火力発電所の排煙脱硫排水やごみ焼却場洗煙排水、ニッケルめっき工場排水、ガラス製造工場排水等のホウ素含有排水の処理に適用される。
【符号の説明】
【０１１２】
１    ホウ素含有排水
２    ｐＨ調整剤
３    消石灰
４    硫酸アルミニウム
５    高分子凝集剤
６    上澄水
７    汚泥
８    酸
９    処理水
１０    反応槽
１１    第一反応槽
１２    第二反応槽
１３    反応工程
１４    固液分離工程
１５    第一反応工程
１６    第二反応工程
１７    凝集工程
１８    中和工程
２０    凝集槽
３０    沈殿槽
４０    中和槽
【図１】
2010269310.tif 000011
【図２】
2010269310.tif 000012
【図３】
2010269310.tif 000013
【図４】
2010269310.tif 000014
【図５】
2010269310.tif 000015
【図６】
2010269310.tif 000016
【図７】
2010269310.tif 000017
【図８】
2010269310.tif 000018
【図９】
2010269310.tif 000019